(57)【要約】【課題】異なる複数の種類の画像形成手段によって形成された画像データの色彩特性に対応した色彩補正を行うことにより、高画質の画像の記録を得る。【解決手段】プリンタ２において、パーソナルコンピュータ１２から記録を行おうとする画像データの色彩特性に対応するプロファイル１４を入力し、メモリ５に記憶されているプロファイル６を入力された新たなプロファイル１４に書き換え、パーソナルコンピュータ１２から画像データを入力し、書き換えたプロファイル１４に基づき前記画像データの色彩補正を行う。【選択図】            図１
2004159241.tif 000002
【特許請求の範囲】
【請求項１】
プリンタにおいて、プロファイル入力手段から記録を行おうとする画像データの色彩特性に対応するプロファイルを入力し、
前記プリンタのメモリに記憶されているプロファイルを前記入力された新たなプロファイルに書き換え、
画像入力手段から前記画像データを入力し、
前記書き換えたプロファイルに基づき前記画像データの色彩補正を行うことを特徴とする画像処理方法。
【請求項２】
前記画像入力手段および前記プロファイル形成手段を、ディジタルカメラとし、前記ディジタルカメラが前記プリンタに接続されたとき、前記プリンタにおいて、前記ディジタルカメラによって撮影された画像データの色彩特性に対応するプロファイルを自動的に入力することを特徴とする請求項１に記載の画像処理方法。
【請求項３】
色彩補正のプロファイルが記憶されたメモリと、
前記プロファイルを記録を行おうとする画像データの色彩特性に対応する新たなプロファイルに書き換える書換部と、
前記書き換えたプロファイルに基づき前記画像データの色彩補正を行う色彩補正部とを有することを特徴とするプリンタ。
【発明の詳細な説明】
【０００１】
【発明の属する技術分野】
本発明は画像処理方法およびプリンタに係り、特にディジタルカメラ等の画像形成手段によって形成された画像データの色彩補正を行う画像処理方法およびプリンタに関する。
【０００２】
【従来の技術】
従来より、ディジタルカメラやディジタルビデオカメラ等の画像形成手段によって形成された画像データに対しコントラスト、ハイライト、シャドウ、およびバランス等の色彩補正を行うプリンタが、ユーザーの好みを実現した高画質の画像の記録を得ることができる等の理由により多く利用されている。
【０００３】
このようなプリンタは、色彩補正のプロファイルを有し、例えば前記プロファイルに基づいて入力した画像データに対し画素数、色彩、および階調を変換し、変換後の画像データの色味や濃度バランスを判定してこの画像データの修正を行った後、この修正後の画像データに基づいて記録を行っていた（例えば、特許文献１参照）。
【０００４】
【特許文献１】
特開平１１−３２３４９号
【０００５】
【発明が解決しようとする課題】
しかし、前記ディジタルカメラにおいては、前記ディジタルカメラの感光部分に使用されるＣＣＤの特性等により、異なる種類のディジタルカメラによって撮影される画像データの色彩特性がそれぞれ異なる。
【０００６】
このため、プリンタの有する色彩補正のプロファイルがディジタルカメラによって撮影される画像データの色彩特性に対応せず、この結果、前記プリンタによって前記画像データに基づく記録を行う際、必ずしもユーザーの好みをプリンタの色彩補正によって実現することができないという問題を有していた。
【０００７】
一方、前記プリンタにおいて、異なる種類の全てのディジタルカメラによって撮影される画像データの色彩特性に対応した複数のプロファイルを有することは、プリンタのメモリの容量上極めて困難である。
【０００８】
また、従来より例えばパーソナルコンピュータ等の画像処理装置において、異なる種類のディジタルカメラによって撮影された画像データの色彩特性に対応した色彩補正をすることも行われているが、この場合、補正後の画像データに基づきプリンタによって画像の記録を行うと、前記プリンタの特性が加味されてしまい、必ずしも補正どおりの画像の記録を得ることができなかった。
【０００９】
本発明はこれらの点に鑑みてなされたものであり、異なる複数の種類の画像形成手段によって形成された画像データの色彩特性に対応した色彩補正を行うことにより、ユーザーの好みを実現した高画質の画像の記録を得ることができる画像処理方法およびプリンタを提供することを目的とする。
【００１０】
【課題を解決するための手段】
前記目的を達成するため、本発明に係る画像処理方法は、プリンタにおいて、プロファイル入力手段から記録を行おうとする画像データの色彩特性に対応するプロファイルを入力し、前記プリンタのメモリに記憶されているプロファイルを前記入力された新たなプロファイルに書き換え、画像入力手段から前記画像データを入力し、前記書き換えたプロファイルに基づき前記画像データの色彩補正を行うことを特徴とする。
【００１１】
この本発明に係る画像処理方法によれば、プリンタにおける色彩補正のプロファイルを、異なる複数の画像形成手段によって形成された画像データの色彩特性に対応したプロファイルに書き換えることができるので、プリンタにおいて前記画像データの色彩特性に対応した最適な色彩補正を行うことができる。
【００１２】
また、本発明に係る他の画像処理方法は、前記画像入力手段および前記プロファイル形成手段を、ディジタルカメラとし、前記ディジタルカメラが前記プリンタに接続されたとき、前記プリンタにおいて、前記ディジタルカメラによって撮影された画像データの色彩特性に対応するプロファイルを自動的に入力することを特徴とする。
【００１３】
この本発明に係る他の画像処理方法によれば、ディジタルカメラによって撮影された画像データを直接プリンタに入力することができるとともに、前記画像データの色彩特性に対応した色彩補正のプロファイルを前記プリンタに入力することができる。このため、前記プリンタは、画像データおよびプロファイルの入力に関し例えばパーソナルコンピュータ等の他の装置を介する手間を省略して、入力された画像データの色彩特性に対応する色彩補正を行うことができる。
【００１４】
さらに、本発明に係るプリンタは、色彩補正のプロファイルが記憶されたメモリと、前記プロファイルを記録を行おうとする画像データの色彩特性に対応する新たなプロファイルに書き換える書換部と、前記書き換えたプロファイルに基づき前記画像データの色彩補正を行う色彩補正部とを有することを特徴とする。
【００１５】
この本発明に係るプリンタによれば、プリンタのメモリにおける色彩補正のプロファイルを、異なる複数の画像形成手段によって形成された画像データの色彩特性に対応したプロファイルに書き換えることができるので、プリンタにおいて前記画像データの色彩特性に対応した最適な色彩補正を行うことができる。
【００１６】
【発明の実施の形態】
以下、本発明に係る画像処理方法の実施形態を図１から図３を参照して説明する。
【００１７】
図１は、本実施形態に係る画像処理方法を実現する画像処理システムを示す概念図であり、同図に示すように、本画像処理システム１は、プリンタ２を有する。
【００１８】
このプリンタ２は、このプリンタ２の各部を制御する制御手段４を有し、この制御手段４には、適宜な容量のＲＡＭ、ＤＲＡＭ等により形成されたメモリ５が設置され、このメモリ５には、プリンタ２に入力された画像データの色彩補正を行うためのプロファイル６が記憶されている。また、前記制御手段４には、前記プロファイル６が前記画像データの色彩特性に対応しない場合には、前記プロファイル６から前記画像データの色彩特性に対応する異なるプロファイルにメモリ５を書き換える書換部１０とが設置されている。さらに、前記制御手段４には、前記メモリ５からプロファイル６を取り出してこのプロファイル６に基づき前記画像データに対してコントラスト、ハイライト、シャドウ、およびバランス等の色彩補正を行う色彩補正部１１が設置されている。そして、前記プリンタ２は、このように色彩補正を行った画像データに基づき画像の記録を行うようになっている。
【００１９】
また、前記プリンタ２には、前記プリンタ２に画像データを入力するとともに、前記画像データの色彩特性に対応した色彩補正のプロファイルを入力する画像入力手段およびプロファイル入力手段としてのパーソナルコンピュータ１２が無線またはケーブル１６によって接続されている。このパーソナルコンピュータ１２のメモリ１３には、複数種類のディジタルカメラによって撮影された画像データの色彩特性にそれぞれ対応する各プロファイル１４が記憶されている。このパーソナルコンピュータ１２は、前記各プロファイル１４を、例えばディジタルカメラを製造・販売する会社のＷｅｂページからダウンロード等することによって取得するようになっている。そして、このパーソナルコンピュータ１２は、前記プリンタ２に入力した画像データの色彩特性に対応するプロファイル１４を、ケーブル１６または記録媒体１７等を介してプリンタ２に入力するようになっている。
【００２０】
次に、本実施形態の作用について説明する。
【００２１】
図２に示すように、ユーザーはデジタルカメラの機種名等からプリンタ２のメモリ５に記憶されているプロファイル６が記録を行おうとする画像データを撮影したディジタルカメラの色彩特性に対応するか否かを確認し（ＳＴ１）、対応するディジタルカメラではない場合（ＳＴ１においてＮＯ）、まず、パーソナルコンピュータ１２のメモリ１３から前記記録を行おうとする画像データを撮影したディジタルカメラに対応するプロファイル１４を取り出し、プリンタ２に出力する（ＳＴ２）。
【００２２】
次に、プリンタ２の制御手段４は、前記プロファイル１４を入力し、書換部１０において、前記メモリ５に記憶されていたプロファイル６を入力した新たなプロファイル１４に書き換える（ＳＴ３）。
【００２３】
そして、記録を行おうとする画像データがプリンタ２に入力されると（ＳＴ４）、前記制御手段４は、色彩補正部１１において、前記メモリ５から書き換えられたプロファイル１４を取り出し、前記プロファイル１４に基づいて前記画像データの色彩補正を行い（ＳＴ５）、この色彩補正が施された画像データに基づき画像の記録を行う（ＳＴ６）。
【００２４】
一方、メモリ５に記憶されているプロファイル６が、記録を行おうとする画像データを撮影したディジタルカメラに対応する場合（ＳＴ１においてＹＥＳ）、制御手段４の色彩補正部１１は、前記メモリ５からこのメモリ５にあらかじめ記憶されていたプロファイル６を取り出し、前記プロファイル６に基づいて前記画像データの色彩補正を行う（ＳＴ５）。そして、このプリンタ２は、前記色彩補正が施された画像データに基づいて画像の記録を行う（ＳＴ６）。
【００２５】
本実施形態によれば、プリンタ２のメモリ５における色彩補正のプロファイル６を、異なる複数のディジタルカメラによって撮影された画像データの色彩特性に対応したプロファイル１４に書き換えることができるので、プリンタ２において前記画像データの色彩特性に対応した最適な色彩補正を行うことができる。
【００２６】
したがって、異なる複数の種類のディジタルカメラによって撮影された画像データの色彩特性に対応した色彩補正を行うことにより、ユーザーの好みを実現した高画質の画像の記録を得ることができる。また、プリンタ２において画像データの色彩補正を行うことにより、プリンタ２の特性を考慮した色彩補正を行うことができるので、従来のパーソナルコンピュータにおいて色彩補正を行う場合と比較して、よりユーザーの好みを実現した高画質の画像の記録を得ることができる。
【００２７】
次に、本発明に係る画像処理方法の他の実施形態について説明する。
【００２８】
図３は、第２の実施形態に係る画像処理方法を実現する画像処理システムを示す概念図であり、同図に示すように、前記画像処理システム２１は、プリンタ２２を有し、このプリンタ２２には、画像入力手段およびプロファイル入力手段としてのディジタルカメラ２４が接続されている。
【００２９】
このディジタルカメラ２４は、プリンタ２２に対し撮影した画像データを入力するようになっている。また、このディジタルカメラ２４のメモリ２５には、前記画像データの色彩特性に対応した色彩補正のプロファイル２６が記憶されており、前記ディジタルカメラ２４は、前記プリンタ２２に対しケーブル２８または記録媒体２９等を介してこのプロファイル２６を入力するようになっている。
【００３０】
なお、本実施形態における他の構成は、第１の実施形態における構成と同様であるので、説明を省略する。ここで、図３において第１の実施形態と同じ構成となる部分は、図１と同じ符号を付して説明する。
【００３１】
次に、本実施形態の作用について説明する。本実施形態においては、ディジタルカメラ２４とプリンタ２２とをケーブル２８によって接続し、ケーブル２８を介してプロファイル２６を入力する場合について説明する。
【００３２】
まず、ディジタルカメラ２４がプリンタ２２にケーブル２８を介して接続されると、前記ディジタルカメラ２４は、メモリ２５に記憶されているプロファイル２６をケーブル２８を介してプリンタ２２に自動的に出力する。
【００３３】
次に、プリンタ２２の制御手段４は、前記プロファイル２６を入力し、書換部１０において、前記メモリ５に記憶されていたプロファイル６を入力した新たなプロファイル２６に書き換える。
【００３４】
そして、記録を行おうとする画像データがプリンタ２に入力されると、前記制御手段４は、色彩補正部１１において、前記メモリ５から書き換えられたプロファイル２６を取り出し、前記プロファイル２６に基づいて前記画像データの色彩補正を行い、この色彩補正が施された画像データに基づき画像の記録を行う。
【００３５】
本実施形態によれば、ディジタルカメラ２４によって撮影された画像データを直接プリンタ２２に入力することができるとともに、前記画像データの色彩特性に対応した色彩補正のプロファイル２６を前記プリンタ２２に直接自動的に入力することができる。このため、前記プリンタ２２は、画像データおよびプロファイル２６の入力に関しパーソナルコンピュータを介する手間を省略して、入力された画像データの色彩特性に対応する色彩補正を行うことができる。
【００３６】
したがって、前記プリンタ２２は、ディジタルカメラ２４から入力した画像データおよびプロファイル２６に基づいて色彩補正を行うことにより、一層容易に高画質の記録を行うことができる。
【００３７】
なお、本発明は前記実施形態に限定されるものではなく、必要に応じて種々変更することが可能である。
【００３８】
例えば、本各実施形態においては、画像入力手段およびプロファイル入力手段としてパーソナルコンピュータ１２またはディジタルカメラ２４を用いているが、これに限定されるものではない。例えば、ディジタルカメラ等の画像形成手段によって形成された画像データが記録されているとともにこの画像データの色彩特性に対応した色彩補正のプロファイルが記録された記録媒体を用いてもよい。
【００３９】
また、画像入力手段とプロファイル入力手段とが同じ手段によって構成されているが、これに限定されず別々の手段であってもよい。例えば、ディジタルカメラのメモリに画像データの色彩特性に対応するプロファイルが記憶されていない場合、画像入力手段としてディジタルカメラを用い、プロファイル入力手段としてパーソナルコンピュータを用いてもよい。
【００４０】
【発明の効果】
以上述べたように、本発明に係る画像処理方法によれば、
異なる複数の種類の画像形成手段によって形成された画像データの色彩特性に対応した色彩補正を行うことにより、ユーザーの好みを実現した高画質の画像の記録を得ることができる。
【００４１】
また、本発明に係る他の画像処理方法によれば、プリンタは、直接ディジタルカメラから入力した画像データおよびプロファイルに基づいて色彩補正を行うことにより、一層容易に高画質の記録を行うことができる。
【００４２】
さらに、本発明に係るプリンタによれば、異なる複数の種類の画像形成手段によって形成された画像データの色彩特性に対応した色彩補正を行うことにより、ユーザーの好みを実現した高画質の画像の記録を得ることができる。
【図面の簡単な説明】
【図１】本発明に係る画像処理方法を実現する画像処理システムを示す概念図
【図２】本発明に係る画像処理方法の工程の一実施形態を示すフローチャート
【図３】本発明に係る他の画像処理方法を実現する画像処理システムを示す概念図
【符号の説明】
１  画像処理システム
２  プリンタ
４  制御手段
５  メモリ
６  プロファイル
８  判別部
９  判断部
１０  書換部
１１  色彩補正部
１２  パーソナルコンピュータ
１３  メモリ
１４  プロファイル
１６  ケーブル
１７  記録媒体
【図１】
2004159241.tif 000003
【図２】
2004159241.tif 000004
【図３】
2004159241.tif 000005